(57)【特許請求の範囲】
【請求項１】
投入口に投入された貨幣を金種毎に鑑別して計数し、収納庫に収納する一方で、出金指示に基づいて金種および枚数を決定して前記収納庫から釣銭を出金する金銭処理装置であって、
予め決められた第１の時間帯には、前記収納庫における前記貨幣の少なくとも一つの金種の収納量が満杯量よりも所定量少ない第１ニアフル量以上となった際に、前記金種がニアフル状態であることを報知し、予め決められた第２の時間帯には、前記収納庫における前記貨幣の少なくとも一つの金種の収納量が前記第１ニアフル量より少ない第２ニアフル量以上となった際に、前記金種がニアフル状態であることを報知する報知手段を有することを特徴とする金銭処理装置。
【請求項２】
投入口に投入された貨幣を金種毎に鑑別して計数し、収納庫に収納する一方で、出金指示に基づいて金種および枚数を決定して前記収納庫から釣銭を出金する金銭処理装置であって、
予め決められた第１の時間帯には、前記収納庫における前記貨幣の少なくとも一つの金種の収納量が０より所定量多い第１ニアエンプティ量以下となった際に、前記金種がニアエンプティ状態であることを報知し、予め決められた第２の時間帯には、前記収納庫における前記貨幣の少なくとも一つの金種が前記第１ニアエンプティ量よりも所定量多い第２ニアエンプティ量以下となった際に、前記金種がニアエンプティ状態であることを報知する報知手段を有することを特徴とする金銭処理装置。
【請求項３】
取引が行われた際に、その時刻とともに取引が行われたことを取引履歴として記録し、該取引履歴から混雑するピーク時間帯を算出し、該ピーク時間帯を前記第２の時間帯として設定する制御部を有することを特徴とする請求項１又は２に記載の金銭処理装置。
【請求項４】
取引が行われた際に、その時刻とともに取引が行われたことを取引履歴として記録し、該取引履歴から前日の所定時間毎の取引回数を算出し、該取引回数の多い上位所定数の時間帯を前記第２の時間帯として設定する制御部を有することを特徴とする請求項１又は２に記載の金銭処理装置。
【発明の詳細な説明】
【技術分野】
【０００１】
本発明は、金銭処理装置に関するものである。
【背景技術】
【０００２】
従来、スーパーマーケット等のＰＯＳレジスタに接続され、買い物客からの預かり金の入金および釣銭の出金を行う金銭処理装置がある。この金銭処理装置は、投入された貨幣を収納庫に収納する一方で、出金指示により収納庫から釣銭を出金するものである。このような金銭処理装置では通常、収納庫の貨幣収納枚数が貨幣収納可能枚数に到達すると、その収納庫がフル（満杯）状態となるので入金機能が停止されてしまう。また、このような金銭処理装置は、収納庫の貨幣収納枚数が０となった場合には、出金機能が停止されてしまう。そこで、このような事態をさけるため、収納庫が満杯状態に近いニアフル状態の時に、あるいは、貨幣収納枚数が０に近いニアエンプティ状態の時に、そのことを報知する金銭処理装置がある(例えば特許文献１、特許文献２参照)。
【先行技術文献】
【特許文献】
【０００３】
【特許文献１】特開２００５−４５０８号公報
【特許文献２】特開２００９−１９９１８７号公報
【発明の概要】
【発明が解決しようとする課題】
【０００４】
しかし、このような金銭処理装置であっても、顧客の多い時間帯においては、ニアフル状態あるいはニアエンプティ状態になっても対応する時間的余裕がなく、同じ金種の入金が続いた場合、その金種が満杯になってしまい、入金機能が停止し、処理が出来なくなってしまう、あるいは、同じ金種の出金が続いた場合、その金種が０になってしまい、出金機能が停止してしまい、処理が出来なくなってしまうという問題があった。
【０００５】
本発明は、上記に鑑みてなされたものであって、顧客の多い時間帯等においても、処理が停止してしまうことを防止することのできる金銭処理装置を提供することを目的とする。
【課題を解決するための手段】
【０００６】
上述した課題を解決し、目的を達成するために、本発明に係る金銭処理装置は、投入口に投入された貨幣を金種毎に鑑別して計数し、収納庫に収納する一方で、出金指示に基づいて金種および枚数を決定して前記収納庫から釣銭を出金する金銭処理装置であって、予め決められた第１の時間帯には、前記収納庫における前記貨幣の少なくとも一つの金種の収納量が満杯量よりも所定量少ない第１ニアフル量以上となった際に、前記金種がニアフル状態であることを報知し、予め決められた第２の時間帯には、前記収納庫における前記貨幣の少なくとも一つの金種の収納量が前記第１ニアフル量より少ない第２ニアフル量以上となった際に、前記金種がニアフル状態であることを報知する報知手段を有することを特徴とする。
【０００７】
また、本発明に係る金銭処理装置は、投入口に投入された貨幣を金種毎に鑑別して計数し、収納庫に収納する一方で、出金指示に基づいて金種および枚数を決定して前記収納庫から釣銭を出金する金銭処理装置であって、予め決められた第１の時間帯には、前記収納庫における前記貨幣の少なくとも一つの金種の収納量が０より所定量多い第１ニアエンプティ量以下となった際に、前記金種がニアエンプティ状態であることを報知し、予め決められた第２の時間帯には、前記収納庫における前記貨幣の少なくとも一つの金種が前記第１ニアエンプティ量よりも所定量多い第２ニアエンプティ量以下となった際に、前記金種がニアエンプティ状態であることを報知する報知手段を有することを特徴とする。
【０００８】
また、本発明に係る金銭処理装置において、取引が行われた際に、その時刻とともに取引が行われたことを取引履歴として記録し、該取引履歴から混雑するピーク時間帯を算出し、該ピーク時間帯を前記第２の時間帯として設定する制御部を有するとよい。
【０００９】
また、本発明に係る金銭処理装置において、取引が行われた際に、その時刻とともに取引が行われたことを取引履歴として記録し、該取引履歴から前日の所定時間毎の取引回数を算出し、該取引回数の多い上位所定数の時間帯を前記第２の時間帯として設定する制御部を有するとよい。
【発明の効果】
【００１０】
本発明によれば、予め決められた第１の時間帯では、少なくとも１つの金種の収納量が満杯よりも所定量少ない第１ニアフル量以上となった際に、ニアフル状態であることを報知し、予め決められた第２の時間帯には、少なくとも１つの金種の収納量が第１ニアフル量よりも所定量少ない第２ニアフル量以上となった際にニアフル状態であることを報知する。従って、予め決められた第２の時間帯を混雑時間帯とすると、混雑時間帯には、第１ニアフル量でニアフル状態を報知する場合よりも早めにニアフル状態であることを報知することができるので、操作者が時間的余裕をもってニアフル状態に対応することができる。よって、収納庫が満杯状態になって処理が停止してしまうことを防止することができる。
【００１１】
また、本発明によれば、予め決められた第１の時間帯では、少なくとも１つの金種の収納量が０よりも所定量多い第１ニアエンプティ量以下となった際に、ニアエンプティ状態であることを報知し、予め決められた第２の時間帯には、少なくとも１つの金種の収納量が第１ニアエンプティ量よりも所定量多い第２ニアエンプティ量以下となった際にニアエンプティ状態であることを報知する。従って、予め決められた第２の時間帯を混雑時間帯とすると、混雑時間帯には、第１ニアエンプティ量でニアエンプティ状態を報知する場合よりも早めにニアエンプティ状態であることを報知することができるので、操作者が時間的余裕をもってニアエンプティ状態に対応することができる。よって、収納庫が空状態になって処理が停止してしまうことを防止することができる。
【図面の簡単な説明】
【００１２】
【図１】図１は、本発明の実施形態に係る金銭処理装置の概略を示した斜視図である。
【図２】図２は、図１に示した金銭処理装置を示す平面図である。
【図３】図３は、図１に示した金銭処理装置を示す正面図である。
【図４】図４は、図１に示した金銭処理装置の制御系の構成を示すブロック図である。
【図５】図５は、図１に示した金銭処理装置の報知制御部が実施する処理の内容を示すフローチャートである。
【発明を実施するための形態】
【００１３】
以下に添付図面を参照して、本発明に係る金銭処理装置の好適な実施形態について詳細に説明する。ここで例示する金銭処理装置は、スーパーマーケットやコンビニエンスストア等の店舗においてＰＯＳレジスタ装置に接続される入出金機として用いられるものである。
【００１４】
図１〜図３に示すように、金銭処理装置１００は、紙幣部１と硬貨部２と報知出力部３（報知手段）とを備えている。紙幣部１は、紙幣投入口１０と紙幣収納庫１１と紙幣出金口１２とを備えている。紙幣投入口１０は、紙幣を金銭処理装置１００の内部に受け入れるための開口である。紙幣収納庫１１は、紙幣投入口１０に投入された紙幣を収納するものであり、１０００円紙幣を収納する１０００円紙幣収納庫１１ａと、１０００円紙幣以外の紙幣を収納する混合紙幣収納庫１１ｂとを備えている。紙幣出金口１２は、紙幣を紙幣収納庫１１から金銭処理装置１００の外部に払い出すための開口である。
【００１５】
硬貨部２は、硬貨投入口２１と、硬貨収納庫２２と、硬貨出金口２３とを備えている。硬貨投入口２１は、投入された硬貨を金銭処理装置１００の内部に受け入れるための開口である。硬貨収納庫２２は、硬貨投入口２１に投入された硬貨を金種毎に収納するものであり、１円硬貨収納庫２２ａ、５０円硬貨収納庫２２ｂ、５円硬貨収納庫２２ｃ、１００円硬貨収納庫２２ｄ、１０円硬貨収納庫２２ｅ、５００円硬貨収納庫２２ｆを備えている。硬貨出金口２３は、硬貨を硬貨収納庫２２から金銭処理装置１００の外部に払い出すための開口である。
【００１６】
報知出力部３は、金種毎の貨幣の収納状況を表示する液晶画面を備えている。報知出力部３は、音声出力することも可能である。報知出力部３は、紙幣部１および硬貨部２の収納庫１１，２２の貨幣収納枚数が予め設定した所定の枚数以上あるいは以下になったときにその情報を制御部３０からの指令で表示するかもしくは音声出力する。
【００１７】
制御部３０は、図４に示すように、貨幣枚数管理部３１と、取引履歴生成部３２と、取引回数算出部３３と、報知制御部３４とを備えている。ここで、ある金種がニアフル状態と判定する際の閾値となる貨幣の枚数をニアフル量と呼ぶこととする。同様に、ある金種がニアエンプティ状態と判定する際の閾値となる貨幣の枚数をニアエンプティ量と呼ぶこととする。制御部３０には、２つのニアフル量と２つのニアエンプティ量とがそれぞれの金種毎に予め設定してある。第１ニアフル量は、通常のニアフル量であり、収納庫が満杯になる枚数よりも所定枚数だけ少ない値である。第２ニアフル量は、第１ニアフル量よりも更に所定枚数だけ少ない値である。第１ニアエンプティ量は、通常のエンプティ量であり、収納庫が空となる状態よりも所定枚数だけ多い値である。第２ニアエンプティ量は、第１ニアエンプティ量よりも更に所定枚数だけ多い値である。
【００１８】
貨幣枚数管理部３１は入金時に入金判別センサが検出した貨幣の金種及び枚数を判別するとともに、出金判別センサが収納庫１１，２２から繰り出された貨幣を検出したとき、その金種及び枚数を判別し、金種毎の枚数を管理する。予め収納庫１１，２２内の金種毎の初期の在高枚数および収納限界枚数を設定しておけば、貨幣枚数管理部３１により、現時点における金種毎の在高枚数および収納限界までの残り枚数が常時把握される。
【００１９】
取引履歴生成部３２は、金銭処理装置１００を介した顧客との取引が行われる度に、取引が行われたことと、その取引が行われた時間とからなる取引履歴を記憶部４０に記録する。取引履歴は、少なくとも一日は、保存される。ここで、取引とは、例えば、スーパー等で顧客がレジで代金の支払いをすることをいう。顧客がレジで支払いをすると、金銭処理装置１００の入出金処理が発生する。この入出金処理１回毎に取引回数を１回と数える。
【００２０】
取引回数算出部３３は、金銭処理装置１００の起動時に、記憶部４０に格納された前日の取引履歴を参照し、その取引履歴から前日の所定時間毎の取引回数を算出する。ここで、所定時間とは、例えば１５分、３０分、１時間、２時間、３時間等である。取引回数算出部３３は、更に、金銭処理装置１００の起動時に、取引履歴から算出した前日の取引回数の多い時間帯上位所定数をピーク時間帯（第２の時間帯）として設定する。ピーク時間帯は、通常の時間帯よりも所定時間当たりの取引回数の多い混雑する時間帯のことである。ピーク時間帯は、例えば朝、昼、夕方のように１日に複数回設定される場合や、１７時‐１９時のように１日に１回のみ設定される場合もある。
【００２１】
報知制御部３４は、貨幣枚数管理部３１によって管理されている収納庫１１，２２の現在の金種毎の貨幣収納枚数と、金種毎のニアフル量及びニアエンプティ量とを比較し、少なくとも一つの金種がニアフル量以上もしくはニアエンプティ量以下となった時点で、そのことを報知出力部３を介して表示するか音声によって報知する。報知制御部３４は、ピーク時間帯では、ニアフル量及びニアエンプティ量として第２ニアフル量及び第２ニアエンプティ量を使用する。報知制御部３４は、ピーク時間帯以外の時間帯（第１の時間帯）では、ニアフル量及びニアエンプティ量として第１ニアフル量及び第１ニアエンプティ量を使用する。尚、上述の構成を有する制御部３０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現しても良いし、ＩＣ（Ｉｎｔｅｇｒａｔｅｄ  Ｃｉｒｃｕｉｔ）等のハードウェアにより実現しても良いし、ソフトウェア及びハードウェアを併用して実現しても良い。
【００２２】
金銭処理装置１００は、ＰＯＳレジスタからの入金指示が来た際に、紙幣投入口１０および硬貨投入口２１から貨幣が投入されると、投入された貨幣を貨幣枚数管理部３１により金種毎に鑑別して計数し、金種毎に設けられた収納庫１１ａ，２２もしくは混合金種の収納庫１１ｂに収納する。また、金銭処理装置１００は、入金された金額をＰＯＳレジスタに通知する。金銭処理装置１００は、ＰＯＳレジスタからの出金指示が来た際には、出金指示に基づいて出金する金種および貨幣の枚数を決定して収納庫１１，２２から釣銭を出金する。この際、出金する金種及び貨幣の枚数は、貨幣枚数管理部３１によって把握される。
【００２３】
図５は、上述の入出金処理が終了するごとに報知制御部３４が繰り返し実行するニアフル及びニアエンプティ処理の内容を示すフローチャートである。以下、報知制御部３４の動作について、フローチャートを参照しながら説明する。
【００２４】
まず、報知制御部３４は、現在の時間が、予め設定したピーク時間帯であるかどうか判別する（ステップ１０１）。報知制御部３４は、現在の時間帯がピーク時間帯でない場合（ステップ１０１，Ｎｏ）、現在の収納庫１１，２２の金種毎の貨幣収納枚数が第１ニアフル量以上であるかどうかを判定する（ステップ１０６）。報知制御部３４は、現在の収納庫１１，２２の金種毎の貨幣収納枚数が第１ニアフル量以上でない場合は（ステップ１０６，Ｎｏ）、何もせずステップ１０８に進む。現在の収納庫１１，２２の少なくとも１つの金種の貨幣収納枚数が第１ニアフル量以上である場合（ステップ１０６，Ｙｅｓ）、報知制御部３４は、その金種がニアフル状態であることを報知出力部３を介して報知する（ステップ１０７）。これにより、金銭処理装置１００の操作者は、報知された金種の貨幣を収納庫１１，２２から回収し、収納庫１１，２２が満杯になる事態を未然に防止することができる。
【００２５】
続いて、報知制御部３４は、現在の収納庫１１，２２の金種毎の貨幣収納枚数が第１ニアエンプティ量以下であるかどうかを判定する（ステップ１０８）。現在の収納庫１１，２２の金種毎の貨幣収納枚数が第１ニアエンプティ量以下でない場合は（ステップ１０８，Ｎｏ）、報知制御部３４は、何もせず、今回の処理を終了する。現在の収納庫１１，２２の少なくとも１つの金種の貨幣収納枚数が第１ニアエンプティ量以下の場合は（ステップ１０８，Ｙｅｓ）、報知制御部３４は、その金種がニアエンプティ状態であることを報知出力部３を介して報知する（ステップ１０９）。これにより、金銭処理装置１００の操作者は、報知された金種の貨幣を収納庫１１，２２に補充し、収納庫１１，２２が空になる事態を未然に防止することができる。その後、報知制御部３４は、今回の処理を終了する。
【００２６】
現在の時間帯がピーク時間帯である場合（ステップ１０１，Ｙｅｓ）、報知制御部３４は、現在の収納庫１１，２２の金種毎の貨幣収納枚数が第２ニアフル量以上であるかどうかを判定する（ステップ１０２）。現在の収納庫１１，２２の金種毎の貨幣収納枚数が第２ニアフル量以上でない場合は（ステップ１０２，Ｎｏ）、報知制御部３４は、何もせずステップ１０４に進む。現在の収納庫１１，２２の少なくとも１つの金種の貨幣収納枚数が第２ニアフル量以上である場合（ステップ１０２，Ｙｅｓ）、報知制御部３４は、その金種がニアフル状態であることを報知出力部３を介して報知する（ステップ１０３）。これにより、金銭処理装置１００の操作者は、収納庫１１，２２から報知された金種の貨幣を時間的余裕を持って回収することができ、収納庫１１，２２が満杯になる事態を未然に防止することができる。
【００２７】
続いて、報知制御部３４は、現在の収納庫１１，２２の金種毎の貨幣収納枚数が第２ニアエンプティ量以下であるかどうかを判定する（ステップ１０４）。現在の収納庫１１，２２の金種毎の貨幣収納枚数が第２ニアエンプティ量以下でない場合は（ステップ１０４，Ｎｏ）、報知制御部３４は、何もせず、今回の処理を終了する。現在の収納庫１１，２２の少なくとも１つの金種の貨幣収納枚数が第２ニアエンプティ量以下の場合（ステップ１０４，Ｙｅｓ）、報知制御部３４は、その金種がニアエンプティ状態であることを報知出力部３を介して報知する（ステップ１０５）。これにより、金銭処理装置１００の操作者は、報知された金種の貨幣を収納庫１１，２２に時間的余裕を持って補充することができ、収納庫１１，２２が空になる事態を未然に防止することができる。その後、報知制御部３４は今回の処理を終了する。
【００２８】
この金銭処理装置１００は、顧客が多い時間帯（ピーク時間帯）では、少なくとも１つの金種の収納量が通常のニアフル量である第１ニアフル量よりも所定量少ない第２ニアフル量以上となった時に操作者にニアフル状態であることを報知するので、操作者が通常よりも早めにニアフル状態であることが認識でき、時間的余裕をもってニアフル状態に対応することができる。従って、収納庫１１，２２の何れかの金種が満杯状態になって処理が停止してしまうことを未然に防止することができる。
【００２９】
また、ピーク時間帯以外の時間帯（第１の時間帯）では、第２ニアフル量よりも所定量多い第１ニアフル量以上のときに、ニアフル状態であることを報知するので、ニアフル状態が頻繁に発生することを防止することができる。従って、貨幣の回収作業が頻繁に発生することを防止することができる。
【００３０】
同様に、この金銭処理装置１００は、顧客が多い時間帯（ピーク時間帯）では、少なくとも１つの金種の収納量が通常のニアエンプティ量である第１ニアエンプティ量よりも所定量多い第２ニアエンプティ量以下となった時に操作者にニアエンプティ状態であることを報知するので、操作者が通常よりも早めにニアエンプティ状態であることが認識でき、時間的余裕をもってニアエンプティ状態に対応することができる。従って、収納庫１１，２２の何れかの金種が空状態になって処理が停止してしまうことを防止することができる。
【００３１】
また、ピーク時間帯以外の時間帯（第１の時間帯）では、第２ニアエンプティ量よりも所定量少ない第１ニアエンプティ量以下のときに、ニアエンプティ状態であることを報知するので、ニアエンプティ状態が頻繁に発生することを防止することができる。従って、貨幣の補充作業が頻繁に発生することを防止することができる。
【００３２】
また、この金銭処理装置１００は、前日の取引履歴をもとに自動で第２ニアフル量や第２ニアエンプティ量を使用するピーク時間帯を設定する。また、この金銭処理装置１００は、前日の取引履歴をもとに自動で第１ニアフル量や第１ニアエンプティ量を使用する時間帯を設定する。従って、第１ニアフル量や第１ニアエンプティ量及び第２ニアフル量や第２ニアエンプティ量を使用する時間帯を手動で設定する手間を省くことができる。
【００３３】
本実施の形態では、報知出力部は、液晶画面を用いたものであったが、ＬＥＤを使用したものでもよい。本実施の形態では、前日の取引履歴を参照してピーク時間帯を設定しているが、前日の取引履歴ではなく、前週の取引履歴を参照するようにしてもよい。いずれにしろ過去の取引履歴を参照してピーク時間帯を設定すればよい。本実施の形態では、取引回数算出部は、前日の取引回数の多い時間帯上位所定数をピーク時間帯として設定しているが、取引回数算出部は、前日の所定時間当たり所定回数以上の取引を行った時間帯をピーク時間帯として設定してもよい。例えば、取引回数算出部は、３０分あたり２０回以上の取引を行った時間帯をピーク時間帯として設定してもよい。
【符号の説明】
【００３４】
１    紙幣部
２    硬貨部
３    報知出力部
１０    紙幣投入口
１１    紙幣収納庫
１１ａ    １０００円紙幣収納庫
１１ｂ    混合紙幣収納庫
１２    紙幣出金口
２１    硬貨投入口
２２    硬貨収納庫
２２ａ    １円硬貨収納庫
２２ｂ    ５０円硬貨収納庫
２２ｃ    ５円硬貨収納庫
２２ｄ    １００円硬貨収納庫
２２ｅ    １０円硬貨収納庫
２２ｆ    ５００円硬貨収納庫
２３    硬貨出金口
３０    制御部
３１    貨幣枚数管理部
３２    取引履歴生成部
３３    取引回数算出部
３４    報知制御部
４０    記憶部
１００    金銭処理装置
【図１】
0006717069.tif 000002
【図２】
0006717069.tif 000003
【図３】
0006717069.tif 000004
【図４】
0006717069.tif 000005
【図５】
0006717069.tif 000006